(57)【要約】【課題】原稿供給部の開閉を検出するためのセンサを追加することなく、原稿供給部の開閉を検出できる、画像読取装置を提供する。【解決手段】ＡＤＦ８に原稿が支持されていない状態では、アクチュエータ３２が第１位置に位置し、原稿センサ３１からオフ信号が出力される。供給トレイ２１に原稿が支持されると、原稿がアクチュエータ３２に当接して、アクチュエータ３２が第１位置から第２位置に変位し、原稿センサ３１からオン信号が出力される。ＡＤＦ８が閉位置に位置する状態では、アクチュエータ３２が第１位置に位置し、原稿センサ３１からオフ信号が出力される。ＡＤＦ８が閉位置から開位置に揺動されると、開閉連動アクチュエータ５１がアクチュエータ３２に当接して、アクチュエータ３２が第１位置から第２位置に変位し、原稿センサ３１からオン信号が出力される。【選択図】図４
2019176250.tif 000002
【特許請求の範囲】
【請求項１】
原稿を載置するための第１透過部と、
搬送される原稿を支持するための第２透過部と、
前記第１透過部の下方では副走査方向に移動して、前記第２透過部の下方では静止して、原稿画像を読み取る読取部と、
所定方向に延びる軸線を中心に前記第１透過部及び第２透過部に対して開いた開位置と前記第１透過部及び第２透過部に対して閉じた閉位置との間で揺動可能に設けられ、前記閉位置に位置する状態において、原稿支持部に支持される原稿を前記第２透過部上に送り込むことが可能な原稿供給部と、
前記原稿供給部に設けられ、前記原稿供給部が前記閉位置に位置する状態で前記第１透過部に対向する原稿押さえと、
前記原稿供給部に設けられ、前記原稿支持部に原稿が支持されたときに第１位置から第２位置に変位する第１アクチュエータと、
前記第１アクチュエータが前記第１位置に位置するときに第１信号を出力し、前記第１アクチュエータが前記第２位置に位置するときに第２信号を出力するセンサと、
前記原稿供給部の揺動に伴って変位するよう前記原稿供給部に設けられ、前記原稿供給部が前記閉位置から前記開位置に揺動されるときに、前記第１アクチュエータに当接して前記第１アクチュエータを前記第１位置から前記第２位置に変位させ、前記原稿供給部が前記開位置から前記閉位置に揺動されるときに、前記第１アクチュエータを前記第２位置から前記第１位置に変位させる第２アクチュエータと、
制御部と、を備え、
前記制御部は、前記第２透過部の下方に位置させた前記読取部により前記原稿押さえからの反射光が読み取られるか否かと、前記センサが出力する信号とに基づいて、前記原稿供給部の開閉状態、ならびに、前記第２透過部での原稿の画像の読取動作および前記第１透過部での原稿の画像の読取動作の可否を判断する、画像読取装置。
【請求項２】
請求項１に記載の画像読取装置であって、
原稿の読取指令を受け付ける受付部をさらに備え、
前記制御部は、前記センサが前記第２信号を出力している状態で前記受付部に前記読取指令が受け付けられたことに応じて、前記読取部により前記原稿押さえが読み取られるか確認し、前記読取部により前記原稿押さえからの反射光が読み取られた場合には、前記原稿供給部が前記閉位置に位置していると判断し、前記読取部により前記原稿押さえが読み取られない場合には、前記原稿供給部が前記開位置に位置していると判断する、画像読取装置。
【請求項３】
請求項１または２に記載の画像読取装置であって、
原稿の読取指令を受け付ける受付部をさらに備え、
前記制御部は、前記センサが前記第１信号を出力している状態で前記受付部に前記読取指令が受け付けられたことに応じて、前記読取部により前記原稿押さえが読み取られるか確認し、前記読取部により前記原稿押さえが読み取られた場合には、通常の電流値で前記読取部を駆動して、前記原稿供給部を使用しない原稿の画像の読取動作を開始し、前記読取部により前記原稿押さえが読み取られない場合には、通常の電流値よりも大きな電流値で前記読取部を駆動して、前記原稿供給部を使用しない原稿の画像の読取動作を開始する、画像読取装置。
【請求項４】
請求項１〜３に記載の画像読取装置であって、
前記制御部は、前記センサから出力される信号が前記第１信号から前記第２信号に変化したことに応じて、前記読取部により前記原稿押さえが読み取られるか確認する、画像読取装置。
【請求項５】
請求項１〜４のいずれか一項に記載の画像読取装置であって、
前記制御部は、前記読取部への駆動電力の供給が停止されているスリープ状態で前記センサから出力される信号が前記第１信号から前記第２信号に変化したことに応じて、前記読取部への電力の供給を開始する、画像読取装置。
【請求項６】
請求項１〜５のいずれか一項に記載の画像読取装置であって、
前記原稿供給部に設けられ、前記原稿供給部が前記閉位置から前記開位置に揺動されるときに、前記原稿供給部が前記閉位置と前記開位置との間の所定位置に位置するまで、前記第２アクチュエータの変位を規制する規制部をさらに備える、画像読取装置。
【発明の詳細な説明】
【技術分野】
【０００１】
本発明は、画像読取装置に関する。
【背景技術】
【０００２】
従来、ＦＢ（Flat Bed）方式およびＡＤＦ（Auto Document Feeder）方式の両方式による原稿の画像の読み取りが可能な画像読取装置が提供されている。
【０００３】
この種の画像読取装置では、ＡＤＦを一体的に備える原稿カバーがコンタクトガラスの上面を開閉可能に設けられている。ＦＢ方式による読み取りの際には、原稿カバーが開位置に開かれて、原稿がコンタクトガラス上に載置された後、原稿カバーが閉位置に閉じられて、原稿カバーにより原稿がコンタクトガラスに押し付けられる。すなわち、ＦＢ方式による読み取り時には、原稿カバー（ＡＤＦ）の下面（コンタクトガラスとの対向面）が原稿押さえとして機能する。ＡＤＦ方式による読み取りの際には、原稿カバー（ＡＤＦ）が閉位置に閉じられた状態で、ＡＤＦの原稿支持部に原稿が支持される。
【０００４】
画像読取装置の省電力化のため、非使用時には、コンタクトガラスの下方に配置されているＣＩＳ（Contact Image Sensor）の光源を停止状態にし、原稿カバー（ＡＤＦ）が開閉されたことに応じて、ＣＩＳの光源を稼働状態にする技術がある。この技術では、原稿カバーの開閉を検出する必要がある。たとえば、特許文献１では、原稿カバーの開閉を検出するため、原稿カバーに開閉センサおよび被検出部材を設けて、原稿カバーがコンタクトガラスの上面に対して一定角度（０°）をなす位置に配置されたときに開閉センサが被検出部材を検出する構成が提案されている。
【先行技術文献】
【特許文献】
【０００５】
【特許文献１】特許第４１５０３１８号公報
【発明の概要】
【発明が解決しようとする課題】
【０００６】
しかしながら、原稿カバーの開閉を検出する開閉センサが必要であり、コストが高くつく。
【０００７】
本発明の目的は、原稿供給部の開閉を検出するためのセンサを追加することなく、原稿供給部の開閉を検出できる、画像読取装置を提供することである。
【課題を解決するための手段】
【０００８】
前記の目的を達成するため、本発明に係る画像読取装置は、原稿を載置するための第１透過部と、搬送される原稿を支持するための第２透過部と、前記第１透過部の下方では副走査方向に移動して、前記第２透過部の下方では静止して、原稿画像を読み取る読取部と、所定方向に延びる軸線を中心に前記第１透過部及び第２透過部に対して開いた開位置と前記第１透過部及び第２透過部に対して閉じた閉位置との間で揺動可能に設けられ、前記閉位置に位置する状態において、原稿支持部に支持される原稿を前記第２透過部上に送り込むことが可能な原稿供給部と、前記原稿供給部に設けられ、前記原稿供給部が前記閉位置に位置する状態で前記第２透過部に対向する原稿押さえと、前記原稿供給部に設けられ、前記原稿支持部に原稿が支持されたときに第１位置から第２位置に変位する第１アクチュエータと、前記第１アクチュエータが前記第１位置に位置するときに第１信号を出力し、前記第１アクチュエータが前記第２位置に位置するときに第２信号を出力するセンサと、前記原稿供給部の揺動に伴って変位するよう前記原稿供給部に設けられ、前記原稿供給部が前記閉位置から前記開位置に揺動されるときに、前記第１アクチュエータに当接して前記第１アクチュエータを前記第１位置から前記第２位置に変位させ、前記原稿供給部が前記開位置から前記閉位置に揺動されるときに、前記第１アクチュエータを前記第２位置から前記第１位置に変位させる第２アクチュエータと、制御部と、を備え、前記制御部は、前記第２透過部の下方に位置させた前記読取部により前記原稿押さえからの反射光が読み取られるか否かと、前記センサが出力する信号とに基づいて、前記原稿供給部の開閉状態、ならびに、前記第２透過部での原稿の画像の読取動作および前記第１透過部での原稿の画像の読取動作の可否を判断する。
【０００９】
この構成によれば、原稿供給部の原稿支持部に原稿が支持されていない状態では、第１アクチュエータが第１位置に位置し、センサから第１信号が出力される。原稿支持部に原稿が支持されると、原稿が第１アクチュエータに当接して、第１アクチュエータが第１位置から第２位置に変位し、センサから第２信号が出力される。
【００１０】
原稿供給部が閉位置に位置する状態では、第１アクチュエータが第１位置に位置し、センサから第１信号が出力される。原稿供給部が閉位置から開位置に揺動されると、第２アクチュエータが第１アクチュエータに当接して、第１アクチュエータが第１位置から第２位置に変位し、センサから第２信号が出力される。また、原稿供給部が閉位置に位置する状態では、読取部により原稿押さえからの反射光を読み取ることができる。一方、原稿供給部が開位置に位置する状態では、読取部により原稿押さえからの反射光を読み取ることができない。
【００１１】
したがって、読取部により原稿押さえからの反射光が読み取られるか否かとセンサが出力する信号とに基づいて、原稿供給部が開位置に位置するか閉位置に位置するかを判断でき、また、原稿供給部を使用した原稿の画像の読み取りおよび原稿供給部を使用しない原稿の画像の読み取りの可否を判断することができる。
【００１２】
よって、原稿供給部の開閉を検出するためのセンサを追加することなく、原稿供給部の開閉を検出することができる。
【発明の効果】
【００１３】
本発明によれば、原稿供給部の開閉を検出するためのセンサを追加することなく、原稿供給部の開閉を検出することができる。
【図面の簡単な説明】
【００１４】
【図１】本発明の一実施形態に係る画像読取装置が備えられる複合機の斜視図であり、原稿カバーが閉位置に位置する状態を示す。
【図２】複合機の斜視図であり、原稿カバーが開位置に位置する状態を示す。
【図３】画像読取装置の一部を示す断面図である。
【図４】ＡＤＦの内部構成の一部を示す斜視図である。
【図５】ＡＤＦの内部構成の一部を示す下側から見た平面図である。
【図６】複合機の電気的構成を示すブロック図である。
【図７】読取処理の流れを示すフローチャートである。
【図８Ａ】開閉連動アクチュエータ５１の動作を説明するための図解的な右側面図であり、原稿カバー９が閉位置に位置する状態を示す。
【図８Ｂ】開閉連動アクチュエータ５１の動作を説明するための図解的な右側面図であり、原稿カバー９が閉位置から角度θ開かれた状態を示す。
【図８Ｃ】開閉連動アクチュエータ５１の動作を説明するための図解的な右側面図であり、原稿カバー９が閉位置から角度θを超えて開かれた状態を示す。
【発明を実施するための形態】
【００１５】
以下では、本発明の実施の形態について、添付図面を参照しつつ詳細に説明する。
【００１６】
＜複合機＞
図１および図２には、複合機（ＭＦＰ：Multi-Function Peripheral）１が示されている。複合機１は、プリント機能、スキャン機能およびコピー機能など、複数の機能を有する電子機器である。プリント機能（画像形成機能）は、画像データに係る画像をプリント用紙などのシートに印刷（プリント）する機能である。スキャン機能（画像読取機能）は、原稿の画像を読み取って画像データを生成する機能である。コピー機能は、スキャナ機能により原稿を読み取って、その読み取った原稿（画像）を画像形成機能によりシートに印刷する機能である。複合機１は、プリント機能のための画像形成装置２およびスキャナ機能のための画像読取装置３を備えている。
【００１７】
画像形成装置２は、略直方体形状のプリンタ筐体４を備えている。プリンタ筐体４の底部には、給紙トレイ５がプリンタ筐体４の一方側から抜き差し可能に設けられている。給紙トレイ５は、複数枚のプリント用紙などのシートを積み重なった状態で支持可能に構成されている。
【００１８】
なお、以下の説明で使用するため、給紙トレイ５を抜き差し可能な一方側を複合機１の前側と規定し、その反対側を後側と規定する。そして、水平面上に設置された複合機１を前側から見た状態を基準に、複合機１の上側、下側、左側および右側を規定する。
【００１９】
シートに画像が形成されるときには、給紙トレイ５からプリンタ筐体４内にシートが１枚ずつ送り出され、プリンタ筐体４内をそのシートが搬送される。シートがプリンタ筐体４内を搬送される間に、プリンタ筐体４内に収容されている画像形成部６８（図６参照）により、シートに画像（カラー画像またはモノクロ画像）が形成される。画像形成部６８による画像形成の方式は、電子写真方式であってもよいし、インクジェット方式であってもよい。画像が形成されたシートは、プリンタ筐体４の上面に形成された排紙トレイ６に排出される。
【００２０】
＜画像読取装置＞
図１に示される画像読取装置３は、スキャナ筐体７と、ＡＤＦ（Auto Document Feeder：自動原稿搬送装置）８が一体的に設けられた原稿カバー９とを備えている。スキャナ筐体７の上面には、第１コンタクトガラス１１（第１透過部の一例）および第２コンタクトガラス１２（第２透過部の一例）が幅方向に並べて設けられている。原稿カバー９は、開位置と閉位置とに開閉可能に設けられている。原稿カバー９が閉位置に位置する状態では、原稿カバー９により、第１コンタクトガラス１１および第２コンタクトガラス１２が一括して被覆される。原稿カバー９が開位置に位置する状態では、図２に示されるように、第１コンタクトガラス１１および第２コンタクトガラス１２が露出する。
【００２１】
スキャナ筐体７内には、図３に示されるように、読取デバイス１３（読取部の一例）が第１コンタクトガラス１１および第２コンタクトガラス１２の下方で幅方向（副走査方向）に移動可能に設けられている。読取デバイス１３には、光源およびイメージセンサなどが内蔵されている。イメージセンサは、たとえば、複数の受光素子が主走査方向である前後方向に配列されたリニアイメージセンサからなる。読取デバイス１３では、光源の光が第１コンタクトガラス１１または第２コンタクトガラス１２上の読取対象物に照射されて、読取対象物での反射光がイメージセンサで受けられることにより、原稿の画像の主走査方向の１ライン分の読み取りが達成される。イメージセンサは、その読み取った１ライン分のアナログ画像信号を出力する。
【００２２】
ＡＤＦ８（原稿供給部の一例）は、供給トレイ２１（原稿支持部の一例）および排出トレイ２２を備えている。供給トレイ２１および排出トレイ２２は、上下に間隔を空けて重なった状態に設けられている。ＡＤＦ８内には、搬送経路２３が形成されている、搬送経路２３は、その一端が供給トレイ２１における副走査方向の一方側の端部上で開放され、Ｕ字状に湾曲しつつ折り返されて、第１コンタクトガラス１１上を経由し、他端が供給トレイ２１と排出トレイ２２との間で開放されている。また、ＡＤＦ８内には、搬送経路２３に沿って、供給ローラ２４、分離ローラ２５、搬送ローラ２６、反転ローラ２７および排出ローラ２８が供給トレイ２１側からこの順に設けられている。
【００２３】
原稿カバー９には、原稿カバー９が閉位置に位置するときに第１コンタクトガラス１１の全面を覆うシート状の原稿押さえ２９が設けられている。原稿押さえ２９は、たとえば、白色樹脂からなり、原稿カバー９に弾性的に保持されている。また、第２コンタクトガラス１２に対向して白色のＡＤＦ原稿押さえ８０が設けられている。
【００２４】
画像読取装置３では、ＦＢ（フラットベッド）方式およびＡＤＦ方式の両方式による原稿の画像の読み取りが可能である。ＦＢ方式による原稿の読み取りの際には、原稿カバー９が開位置に開かれて、原稿が第１コンタクトガラス１１の上面に載置される。その後、原稿カバー９が閉位置に閉じられて、原稿が原稿カバー９によって上側から覆われた状態にされる。そして、スキャンの実行の指令に応じて、読取デバイス１３の副走査方向への移動が開始され、読取デバイス１３が副走査方向に移動されつつ、読取デバイス１３により原稿が読み取られる。
【００２５】
一方、ＡＤＦ方式による原稿の読み取りの際には、ＡＤＦ８の供給トレイ２１上に原稿が載置される。また、読取デバイス１３が第２コンタクトガラス１２の下側で停止される。その後、スキャンの実行の指令に応じて、供給ローラ２４による原稿の搬送が開始される。原稿は、分離ローラ２５により１枚ずつに分離されて、搬送ローラ２６および反転ローラ２７により搬送経路２３を搬送される。原稿が搬送されながら、その原稿の表面の原稿が読取デバイス１３により読み取られる。
【００２６】
＜原稿センサ＞
ＡＤＦ８には、供給トレイ２１に原稿が支持されたことを検出する原稿センサ３１（センサの一例）が備えられている。原稿センサ３１は、図４および図５に示されるように、原稿センサ３１は、たとえば、供給トレイ２１に支持される原稿が接触することにより回動するアクチュエータ３２（第１アクチュエータの一例）と、そのアクチュエータ３２の回動を検出する光学センサ３３とを備えている。
【００２７】
以下、原稿カバー９が閉位置に位置する状態を基準に各部の構成を説明する。
【００２８】
アクチュエータ３２は、樹脂製であり、図４および図５に示されるように、前後方向に延びるアクチュエータ軸４１と、アクチュエータ軸４１の周面から径方向に延びる接触部４２と、接触部４２と間隔を空けて、アクチュエータ軸４１の周面から径方向に延びる遮断部４３とを一体に備えている。
【００２９】
アクチュエータ軸４１は、ＡＤＦ８の筐体４４に回動自在に保持されている。接触部４２は、アクチュエータ軸４１の軸線方向に厚みを有する板状をなし、アクチュエータ軸４１から左側上方に延出している。アクチュエータ軸４１の後側の端部には、ねじりコイルばね４５が設けられている。このねじりコイルばね４５の弾性力により、アクチュエータ軸４１は、接触部４２が供給トレイ２１に形成されたスリット４６から供給トレイ２１上に突出する方向に付勢されている。遮断部４３は、アクチュエータ軸４１の軸線方向に厚みを有する板状をなし、アクチュエータ軸４１から接触部４２と反対側に延びている。
【００３０】
光学センサ３３は、互いに間隔を空けて対向する発光部４７および受光部４８を備えている。発光部４７には、発光素子が内蔵されている。受光部４８には、発光素子からのセンサ光を受光する受光素子が内蔵されている。光学センサ３３および遮断部４３の配置および構成により、供給トレイ２１に原稿が支持されていない状態では、発光部４７から受光部４８に至るセンサ光の光路が遮断部４３によって遮断される。このときのアクチュエータ３２の位置が第１位置である。
【００３１】
発光部４７から受光部４８に至るセンサ光の光路が遮断部４３に遮断されている状態では、受光部４８からオフ信号（第１信号の一例）が出力される。供給トレイ２１に原稿が支持されると、原稿の重みで接触部４２が押されて、接触部４２が供給トレイ２１の下側に沈み込む方向、つまり前側から見て反時計回りにアクチュエータ軸４１が回動する。このアクチュエータ軸４１の回動により、遮断部４３が発光部４７から受光部４８に至るセンサ光の光路上から外れる。その結果、発光部４７からのセンサ光が受光部４８に到達して、受光部４８からオン信号（第２信号の一例）が出力される。このときのアクチュエータ３２の位置が第２位置である。
【００３２】
また、アクチュエータ３２には、アクチュエータ軸４１の前側の端部から右側に延出する被押圧部４９が形成されている。被押圧部４９は、アクチュエータ軸４１の径方向に厚みを有する板状をなしている。
【００３３】
＜開閉連動アクチュエータ＞
アクチュエータ３２の右側には、開閉連動アクチュエータ５１（第２アクチュエータの一例）が設けられている。開閉連動アクチュエータ５１は、ＡＤＦ８の筐体４４に回動自在に保持される回動軸５２と、回動軸５２から垂下する錘部５３と、回動軸５２から被押圧部４９に向けて後側に延びる操作突起５４とを一体に備えている。供給トレイ２１に原稿が支持されていない状態において、操作突起５４の先端部は、被押圧部４９に対して下側から接触ないしは間隔を空けて対向する。
【００３４】
開閉連動アクチュエータ５１の前側には、アクチュエータストッパ９０が設けられている。アクチュエータストッパ９０は、図８Ａに示されるように、筐体４４から下側に突出する柱状をなし、原稿カバー９が閉位置に位置する状態では、回動軸５２の中心と開閉連動アクチュエータ５１の錘部５３の重心とを通る直線が鉛直方向に対して角度θをなすように、錘部５３に当接している。そのため、図８Ｂに示されるように、原稿カバー９が閉位置から所定の角度θに開かれるまでは、開閉連動アクチュエータ５１の錘部５３とアクチュエータストッパ９０との相対位置が変化しない。これにより、閉位置とその周辺での開閉連動アクチュエータ５１の安定性が確保されている。
【００３５】
供給トレイ２１に原稿が支持されていない状態で、図８Ｃに示されるように、原稿カバー９の開き角度が角度θ（例えば１０度）を超えると、原稿カバー９の移動に伴って、開閉連動アクチュエータ５１の錘部５３の重みにより、開閉連動アクチュエータ５１の錘部５３の重心とを通る直線が鉛直方向に沿うように、開閉連動アクチュエータ５１が錘部５３とともに回動軸５２が左側から見て時計回りに回動し、錘部５３がアクチュエータストッパ９０から離れていく。この回動に伴って、操作突起５４が被押圧部４９に当接し、さらに操作突起５４が被押圧部４９を押圧する。操作突起５４が被押圧部４９を押圧することにより、被押圧部４９がアクチュエータ３２のアクチュエータ軸４１とともに回動する。その結果、アクチュエータ３２の遮断部４３が発光部４７から受光部４８に至るセンサ光の光路上から外れて、受光部４８からオン信号が出力される。
【００３６】
＜複合機の電気的構成＞
複合機１は、図６に示されるように、ＡＳＩＣ（Application Specific Integrated Circuit）６１、ＲＯＭ（Read Only Memory）６２およびＲＡＭ（Random Access Memory）６３を備えている。
【００３７】
ＡＳＩＣ６１は、ＣＰＵ６４（制御部の一例）を内蔵している。ＲＯＭ６２は、フラッシュメモリなどの書き換え可能な不揮発性メモリからなる。ＲＯＭ６２には、ＣＰＵ６４によって実行されるプログラムおよび各種のデータなどが記憶されている。ＲＡＭ６３は、ＤＲＡＭ（Dynamic Random Access Memory）などの揮発性メモリであり、ＣＰＵ６４がプログラムを実行する際のワークエリアとして使用される。
【００３８】
ＡＳＩＣ６１には、原稿センサ３１、具体的には光学センサ３３の受光部４８から出力されるオン／オフ信号が入力される。
【００３９】
ＣＰＵ６４は、ＡＳＩＣ６１に入力される情報に基づいて、各種の処理のためのプログラムを実行することにより、読取デバイス１３と、読取デバイス１３を移動させる移動機構６５と、供給ローラ２４、分離ローラ２５、搬送ローラ２６、反転ローラ２７および排出ローラ２８を含むＡＤＦ搬送部６６（原稿供給部の一例）と、操作パネル６７とを含む画像読取装置３の各部を制御する。また、画像形成装置２のエンジンである画像形成部６８を制御する。
【００４０】
操作パネル６７は、図１に示されるように、スキャナ筐体７の前面に配置されている。操作パネル６７は、タッチパネルからなり、液晶ディスプレイなどの表示部７１上に感圧式または静電容量式の透明フィルムスイッチなどの操作部７２（受付部の一例）を重ねて構成されている。表示部７１には、各種の情報や操作キーなどの画像が表示される。ユーザが表示部７１に表示される操作キーをタッチ操作することにより、そのタッチ操作された操作キーの種類に応じた指示が操作部７２に受け付けられる。操作部７２に指示が受け付けられると、その指示の内容に応じた信号（データ）が操作部７２からＡＳＩＣ６１に向けて送信される。
【００４１】
なお、表示部７１と操作部７２とは、タッチパネルを構成せずに、別々に独立して設けられていてもよい。
【００４２】
＜読取処理＞
複合機１の電源が投入されている間、ＡＳＩＣ６１のＣＰＵ６４は、図７に示される読取処理を実行する。
【００４３】
この読取処理では、ＣＰＵ６４は、原稿センサ３１の出力信号がオンであるか否かを判別する（Ｓ１１）。前述したように、原稿センサ３１の出力信号は、ＡＤＦ８の供給トレイ２１上に原稿が載置されるか、または、原稿カバー９が閉位置から開位置に開かれると、オンになる。原稿センサ３１の出力信号がオフである間は、読取処理が以降に進まない（Ｓ１１：ＮＯ）。
【００４４】
複合機１は、消費電力を低減するため、待機時は、各部への電力供給を絶った、いわゆるスリープ状態で待機しているが、電力供給を再開するためのトリガーは必要なので、操作部７２や、原稿センサ３１の光学センサ３３、ＡＳＩＣ６１の一部ブロックへの電力供給は行われている。
【００４５】
読取デバイス１３への電力の供給が停止されているスリープ状態で原稿センサ３１の出力信号がオンになった場合には（Ｓ１１：ＹＥＳ）、原稿トレイ２１上に原稿が載置されたか、原稿カバー９が開位置になったとして、ＡＳＩＣ６１は複合機１のスリープ状態を解除し、ＣＰＵ６４、読取デバイス１３等への電力の供給が開始される（Ｓ１２）。
【００４６】
また、原稿センサ３１の出力信号がオンになると（Ｓ１１：ＹＥＳ）、ＣＰＵ６４は、原稿カバー９が開位置に位置しているか否か、つまりカバーオープンの状態であるか、原稿カバー９が閉位置にあって、原稿トレイ２１上に原稿がセットされたのかどうかを判別する（Ｓ１３）。この判別のため、ＣＰＵ６４は、読取デバイス１３および移動機構６５を制御して、読取デバイス１３を第２コンタクトガラス１２の下側の位置に移動させる。そして、読取デバイス１３の光源から光を出射させ、イメージセンサで光を読み取る。原稿カバー９が閉位置に位置している状態では、第２コンタクトガラス１２に白色のＡＤＦ原稿押さえ８０が対向しているので、光源からの光がＡＤＦ原稿押さえ８０で反射されて、その反射光がイメージセンサに読み取られる。一方、原稿カバー９が開位置に位置している状態では、第２コンタクトガラス１２にＡＤＦ原稿押さえ８０が対向しないので、光源からの光がＡＤＦ原稿押さえ８０で反射せず、ＡＤＦ原稿押さえ８０からの反射光がイメージセンサに読み取られない。したがって、ＣＰＵ６４は、ＡＤＦ原稿押さえ８０からの反射光が読取デバイス１３により読み取られた場合には、原稿カバー９が閉位置に位置していて、原稿が原稿トレイ２１上に載置されたと判別し、ＡＤＦ原稿押さえ８０からの反射光が読取デバイス１３により読み取られない場合には、原稿カバー９が開位置に位置していると判別する。このとき、ＣＰＵ６４は、読取デバイス１３を副走査方向に移動させることにより、第１コンタクトガラス１１上に原稿が載置されている場合に、その原稿のサイズを検出することができる。
【００４７】
原稿カバー９が開位置に位置している場合（Ｓ１３：ＹＥＳ）および原稿カバー９が閉位置に位置している場合（Ｓ１３：ＮＯ）のいずれであっても、ＣＰＵ６４は、画像の読取開始の指示が入力されたか否か、つまり操作パネル６７の表示部７１に表示されるスタートキーがタッチ操作された否かを判別する（Ｓ１４，Ｓ１５）。
【００４８】
原稿カバー９が開位置に位置していると判断された後、操作パネル６７の表示部７１に表示されるスタートキー等からの指示があると（Ｓ１４：ＹＥＳ）、ＣＰＵ６４はユーザがＦＢ方式を所望していると判断する。
【００４９】
その後、再度、ＡＤＦ原稿押さえ８０からの反射光が読取デバイス１３により読み取られているかどうかを確認し、読み取られていなければ、（Ｓ１６：ＹＥＳ）原稿カバー９が開位置に位置したままと判断する。この場合、ユーザがブックのような原稿を第１コンタクトガラス１１に押し付けながら読み取らせようとしている可能性が強く、そのような行為により、第１コンタクトガラス１１が変形して、移動機構６５への抵抗（負荷）になることがある。そのため、移動機構６５へ供給する電流値を規定の最大値として、ＦＢ方式による画像の読み取りを実行する（Ｓ１７）。その後、ＣＰＵ６４は、読取処理を終了する。
【００５０】
一方、ＡＤＦ原稿押さえ８０からの反射光が読取デバイス１３により読み取られているかどうかを確認し、読み取られていれば（Ｓ１６：ＮＯ）、原稿カバー９が閉位置に位置していると判断し、ユーザが薄いシート状原稿のＦＢ読取を所望していると判断する。この場合、第１コンタクトガラス１１にかかる原稿の重量は軽く、第１コンタクトガラス１１を変形させるほどではないので、移動機構６５の駆動電流を減少させて（例えば最大値の１／３）供給し、ＦＢ方式による画像の読み取りを実行する（Ｓ１８）。これにより、消費電力を軽減できるだけでなく、騒音も低くすることができる。その後、ＣＰＵ６４は、読取処理を終了する。
【００５１】
原稿カバー９が閉位置に位置すると判断された状態で画像の読み取りの開始が指示された場合（Ｓ１５：ＹＥＳ）、ＣＰＵ６４は、原稿センサ３１の出力信号がオンであるか否かを再び判別する（Ｓ１９）。原稿カバー９が閉位置に位置し、かつ、原稿センサ３１がオンである場合は、ユーザがＡＤＦ方式による原稿の画像の読み取りを所望していると考えられる。そこで、かかる場合には（Ｓ１９：ＹＥＳ）、ＣＰＵ６４は、原稿カバー９が閉位置に位置していることを再度確認した後（Ｓ２０：ＮＯ）、ＡＤＦ方式による画像の読み取りを実行する（Ｓ２１）。その後、ＣＰＵ６４は、読取処理を終了する。
【００５２】
一方、原稿カバー９が開位置に位置する場合には（Ｓ２０：ＹＥＳ）、ＣＰＵ６４は、読み取りの開始が指示された後に原稿カバー９が開位置に移動したことになるため、ユーザが原稿トレイ２１に原稿をセットするか、原稿カバー９を閉位置に移動させるまで待ち、原稿カバー９が開位置に位置しているか否かの判別が今回でＮ回目（Ｎ：自然数）であるか否かを判別する（Ｓ２３）。読み取りの開始が指示された後における原稿カバー９が開位置に位置しているか否かの判別の回数がＮ回に達していない場合（Ｓ２３：ＮＯ）、ＣＰＵ６４は、原稿センサ３１の出力信号がオンであるか否かを再び判別する（Ｓ１９）。その後、読み取りの開始が指示された後における原稿カバー９が開位置に位置しているか否かの判別の回数がＮ回に達した場合には（Ｓ２３：ＹＥＳ）、ＣＰＵ６４は、エラーを出力して（Ｓ２４）、読取処理を終了する。
【００５３】
また、原稿カバー９が閉位置に位置する状態で画像の読み取りの開始が指示された場合は、一旦供給トレイ２１にセットされた原稿が取り去られ、第１コンタクトガラス１１上に原稿が載置された後に原稿カバー９が閉じられて、ＦＢ方式による画像の読み取りの開始が指示されたと考えられる。そこで、原稿カバー９が閉位置に位置する状態で画像の読み取りの開始が指示されたが、原稿センサ３１の出力信号がオフである場合（Ｓ１９：ＮＯ）、ＣＰＵ６４は、前述の読取デバイス１３を用いる手法により、原稿カバー９が開位置に位置しているか否かを再び判別する（Ｓ１６）。そして、カバーオープンの状態がまだ続いている場合には（Ｓ１６：ＹＥＳ）、ＣＰＵ６４は、読取デバイス１３に規定の最大電流を供給して、ＦＢ方式による画像の読み取りを実行する（Ｓ１７）。一方、原稿カバー９が閉位置に位置している場合には（Ｓ１６：ＮＯ）、ＣＰＵ６４は、読取デバイス１３に規定の最大電流の電流値の１／３の電流を供給し、ＦＢ方式による画像の読み取りを実行する（Ｓ１８）。その後、ＣＰＵ６４は、読取処理を終了する。
【００５４】
＜作用効果＞
以上のように、ＡＤＦ８の供給トレイ２１に原稿が支持されていない状態では、アクチュエータ３２が第１位置に位置し、原稿センサ３１からオフ信号が出力される。供給トレイ２１に原稿が支持されると、原稿がアクチュエータ３２に当接して、アクチュエータ３２が第１位置から第２位置に変位し、原稿センサ３１からオン信号が出力される。
【００５５】
ＡＤＦ８が閉位置に位置する状態では、アクチュエータ３２が第１位置に位置し、原稿センサ３１からオフ信号が出力される。ＡＤＦ８が閉位置から開位置に揺動されると、開閉連動アクチュエータ５１がアクチュエータ３２に当接して、アクチュエータ３２が第１位置から第２位置に変位し、原稿センサ３１からオン信号が出力される。また、ＡＤＦ８が閉位置に位置する状態では、読取デバイス１３により原稿押さえ２９からの反射光を読み取ることができる。一方、ＡＤＦ８が開位置に位置する状態では、読取デバイス１３により原稿押さえ２９からの反射光を読み取ることができない。
【００５６】
したがって、読取デバイス１３により原稿押さえ２９からの反射光が読み取られるか否かと原稿センサ３１が出力する信号とに基づいて、ＡＤＦ８が開位置に位置するか閉位置に位置するかを判断でき、また、ＡＤＦ８を使用した原稿の画像の読み取りおよびＡＤＦ８を使用しない原稿の画像の読み取りの可否を判断することができる。
【００５７】
よって、ＡＤＦ８の開閉を検出するための原稿センサ３１を追加することなく、ＡＤＦ８の開閉を検出することができる。
【００５８】
また、画像の読み取りの開始が指示される前に、第１コンタクトガラス１１上に原稿が載置されている場合、その原稿のサイズを検出することができる。これにより、画像の読み取りの開始の指示から画像の読み取りが実際に開始されるまでの時間の短縮を図ることができる。
【００５９】
読取デバイス１３への電力供給が停止されているスリープ状態で原稿センサ３１から出力される信号がオフ信号からオン信号に変化したことに応じて、スリープが解除されて、読取デバイス１３への電力の供給が開始される。これにより、画像読取装置３が使用されることを検出する人感センサなどを必要とせず、スリープ状態における電力の消費を抑えることができる。
【００６０】
＜変形例＞
以上、本発明の一実施形態について説明したが、本発明は、他の形態で実施することもできる。
【００６１】
たとえば、前述の実施形態では、原稿センサ３１から出力されるオフ信号が第１信号の一例であり、オン信号が第２信号の一例であるとしたが、供給トレイ２１に原稿が支持されていない状態で原稿センサ３１からオン信号が出力される構成である場合、そのオン信号が第１信号の一例であり、オフ信号が第２信号の一例となる。
【００６２】
また、ＣＰＵ６４が各処理を実行する場合について説明した。しかしながら、ＡＳＩＣ６１が複数のＣＰＵを備え、複数のＣＰＵが協働して各処理を実行してもよい。
【００６３】
その他、前述の構成には、特許請求の範囲に記載された事項の範囲で種々の設計変更を施すことが可能である。
【符号の説明】
【００６４】
３：画像読取装置
８：ＡＤＦ
１１：第１コンタクトガラス
１２：第２コンタクトガラス
１３：読取デバイス
２９：原稿押さえ
３１：原稿センサ
３２：アクチュエータ
５１：開閉連動アクチュエータ
６４：ＣＰＵ
６６：ＡＤＦ搬送部
７２：操作部
【図１】
2019176250.tif 000003
【図２】
2019176250.tif 000004
【図３】
2019176250.tif 000005
【図４】
2019176250.tif 000006
【図５】
2019176250.tif 000007
【図６】
2019176250.tif 000008
【図７】
2019176250.tif 000009
【図８Ａ】
2019176250.tif 000010
【図８Ｂ】
2019176250.tif 000011
【図８Ｃ】
2019176250.tif 000012